(57)【要約】【課題】  データベースを設けることなく簡単に、印刷された文章などのデータを適切に提供すること。【解決手段】  印刷物１の紙面に二次元コードパターン２，３を印刷する。この二次元コードパターン２，３には、印刷物１に印刷された可読情報および／またはその可読情報に関連する付加情報が、認証処理によりアクセス許可された場合にのみ所定の出力デバイス１６から出力可能となる出力データと、認証処理を経ずに出力デバイス１６から出力可能な出力データとに区別されてコード化されている。【選択図】  図１
2005092301.tif 000002
【特許請求の範囲】
【請求項１】
紙面に印刷された可読情報および／またはその可読情報に関連する付加情報を、認証処理によりアクセス許可された場合にのみ所定の出力デバイスから出力可能となる出力データと、認証処理を経ずに上記出力デバイスから出力可能な出力データとに区別してコード化することで生成された二次元コードパターンを印刷されたことを特徴とする印刷物。
【請求項２】
紙面に印刷された可読情報および／またはその可読情報に関連する付加情報であって、認証処理によりアクセス許可された場合にのみ所定の出力デバイスから出力可能となる出力データがコード化された第一の二次元コードパターンと、
紙面に印刷された可読情報および／またはその可読情報に関連する付加情報であって、認証処理を経ずに上記出力デバイスから出力可能な出力データがコード化された第二の二次元コードパターンと、
が同じ紙面に印刷されていることを特徴とする印刷物。
【請求項３】
紙面に印刷された可読情報および／またはその可読情報に関連する付加情報であって、認証処理によりアクセス許可された場合にのみ所定の出力デバイスから出力可能となる出力データと、紙面に印刷された可読情報および／またはその可読情報に関連する付加情報であって、認証処理を経ずに上記出力デバイスから出力可能な出力データと、それら２つの出力データの区切りを示す区切りデータと、がコード化される二次元コードパターンが紙面に印刷されていることを特徴とする印刷物。
【請求項４】
前記認証処理を経ずに前記出力デバイスから出力可能な出力データと、前記区切りデータと、前記認証処理によりアクセス許可された場合にのみ前記出力デバイスから出力可能となる出力データとは、その順番にてコード化され、
前記区切りデータは、その後の前記出力データの出力にはアクセス許可が必要であることを示すことを特徴とする請求項３記載の印刷物。
【請求項５】
前記認証処理を経ずに前記出力デバイスから出力可能な出力データ、および前記認証処理によりアクセス許可された場合にのみ前記出力デバイスから出力可能となる出力データは、それらのデータをコード化した前記二次元コードパターンが印刷されている紙面に印刷されている文章のテキストデータを含むものであることを特徴とする請求項１から４の中のいずれか１項記載の印刷物。
【請求項６】
前記認証処理を経ずに前記出力デバイスから出力可能な出力データは、そのデータをコード化した前記二次元コードパターンが印刷されている紙面に印刷されている文章のテキストデータを含むものであり、前記認証処理によりアクセス許可された場合にのみ前記出力デバイスから出力可能となる出力データは、上記文章に関連した付加情報のテキストデータを含むものであることを特徴とする請求項１から４の中のいずれか１項記載の印刷物。
【請求項７】
前記認証処理によりアクセス許可された場合にのみ前記出力デバイスから出力可能となる出力データは、認証処理で使用される識別情報を暗号鍵として暗号化された上で前記二次元コードパターンにコード化されていることを特徴とする請求項５または６記載の印刷物。
【請求項８】
紙面に可読情報として問題文が印刷され、その問題文のテキストデータを、認証処理を経ずに前記出力デバイスから出力可能な出力データとし、この問題文の答えのテキストデータを、認証処理によりアクセス許可された場合にのみ前記出力デバイスから出力可能となる出力データとした前記二次元コードパターンが上記問題文の印刷個所に関連付けて印刷されていることを特徴とする請求項１から７の中のいずれか１項記載の印刷物。
【請求項９】
二次元コードパターンを撮像する撮像デバイスと、
上記撮像デバイスにより撮像された二次元コードパターンから、その二次元コードパターンにコード化されているデータ列を再生するデコード部と、
認証処理を行う認証部と、
出力データが入力されると、これを出力する出力デバイスと、
上記再生されたデータ列に含まれる出力データが、その出力に認証を必要とする場合には上記認証部の認証処理によりアクセス許可された後にその出力データを上記出力デバイスへ出力し、上記再生されたデータ列に含まれる出力データが、その出力に認証処理が不要である場合にはその出力データを上記出力デバイスへ出力する表示制御部と、
を有することを特徴とする携帯端末。
【請求項１０】
前記表示制御部は、
前記デコード部により再生された前記データ列に、アクセス許可が必要であることを示す認証要否指示データが含まれている場合には、前記認証部の認証処理によるアクセス許可後にそのデータ列に含まれる出力データを前記出力デバイスへ出力し、
前記デコード部により再生された前記データ列に、アクセス許可が不要であることを示す認証要否指示データが含まれている場合には、そのデータ列に含まれる出力データを前記出力デバイスへ出力することを特徴とする請求項９記載の携帯端末。
【請求項１１】
前記表示制御部は、前記デコード部により再生された前記データ列に、認証処理によりアクセス許可された場合にのみ前記出力デバイスから出力可能となる第一の出力データと認証処理を経ずに前記出力デバイスから出力可能な第二の出力データとの区切りを示す区切りデータが含まれている場合には、前記上記第二の出力データを前記出力デバイスへ出力し、かつ、前記認証部の認証処理によるアクセス許可後に上記第一の出力データを前記出力デバイスへ出力することを特徴とする請求項９記載の携帯端末。
【請求項１２】
前記認証部は、ユーザにより入力されたあるいは外部から受信された認証データを復号キーとして、前記デコード部により再生された前記データ列から、前記認証処理によりアクセス許可された場合にのみ前記出力デバイスから出力可能となる出力データを復号することを特徴とする請求項９記載の携帯端末。
【請求項１３】
前記認証部による認証結果を記憶する記憶デバイスと、上記記憶デバイスに記憶された上記認証結果に基づいて、前記デコード部により再生された前記データ列から、前記認証処理によりアクセス許可された場合にのみ前記出力デバイスから出力可能となる出力データを復号する復号部と、を有し、
前記表示制御部は、上記復号部で復号された出力データを前記出力デバイスへ出力することを特徴とする請求項９記載の携帯端末。
【請求項１４】
前記デコード部は、印刷物毎にその印刷物に印刷される二次元コードパターンと対で作成され、上記印刷物とは別に供給されることで利用可能となることを特徴とする請求項９記載の携帯端末。
【発明の詳細な説明】
【技術分野】
【０００１】
本発明は、書籍、新聞、ポスター、中刷り、チケット、その他の印刷物、および携帯電話端末、ＰＤＡ（Ｐｅｒｓｏｎａｌ  Ｄｉｇｉｔａｌ  Ａｓｓｉｓｔａｎｔ）、ノート型コンピュータ、その他の携帯端末に関する。
【背景技術】
【０００２】
特許文献１には、マルチメディア新聞方式が開示されている。このマルチメディア新聞方式では、新聞に掲載されている記事毎に、少なくとも新聞の発行元を特定する発行元識別情報と個々の記事を特定する記事識別情報とを図形化したバーコードが付加される。また、新聞の読者宅には、新聞のバーコードを読み込むバーコードリーダを備えた通信端末がある。発行元には、新聞の各記事に関する詳細なデータを格納し、これらのデータを通信端末へ送信するデータベースがある。従来のマルチメディア新聞方式では、読者が新聞のバーコードをバーコードリーダで読み取り、このバーコードリーダを備えた通信端末とデータベースとの間で通信をさせることで、新聞の各記事に関する詳細なデータを発行元のデータベースから新聞の読者に提供する。
【０００３】
特許文献２には、名刺が開示されている。この名刺には、ＱＲコードが付されている。このＱＲコードには、名刺に記されている会社名、役職名、氏名、住所、電話番号、ファクシミリ番号、携帯電話番号および電子メールアドレス等の文字に関する情報が符号化されている。
【０００４】
【特許文献１】特開平７−１１５４７４号公報（要約書、特許請求の範囲、発明の詳細な説明）
【特許文献２】特開２００３−１５４７７４号公報（要約書、特許請求の範囲、発明の詳細な説明）
【発明の開示】
【発明が解決しようとする課題】
【０００５】
しかしながら、このマルチメディア新聞方式では、新聞に記されるバーコードには、新聞の発行元を特定する発行元識別情報と、個々の記事を特定する記事識別情報とが含まれるだけであり、読者が詳細な情報を得ようとする場合、新聞の各記事に関する詳細なデータを格納するデータベースと、通信端末との間で通信を行うことが不可欠である。そのため、従来のマルチメディア新聞方式を実現するためには多くのコストがかかる。しかも、このマルチメディア新聞方式では、印刷物とは別に、新聞の記事などをその記事毎に管理するために、印刷物を作成する手間とは別に膨大な労力と時間とが必要になる。
【０００６】
そこで、新聞などの印刷物の文章をデータ化して、ＣＤ−ＲＯＭなどの記録媒体を印刷物に添付して読者へデータを提供することも考えられる。しかしながら、このように一律に印刷物にデータを添付して提供してしまうと、出版社が著作権等を管理し難くなり、また、データの不正コピー等による損失が著しくなってしまうと予想される。そのため、出版業界などにおいては、印刷物の文章などをデータ化して提供することに対して積極的に取り組むには至っていない。
【０００７】
本発明は、以上の課題に鑑みなされたものであり、データベースを設けることなく簡単に、印刷された文章などのデータを適切に提供することができる印刷物および携帯端末に関する。
【課題を解決するための手段】
【０００８】
本発明に係る印刷物は、紙面に印刷された可読情報および／またはその可読情報に関連する付加情報を、認証処理によりアクセス許可された場合にのみ所定の出力デバイスから出力可能となる出力データと、認証処理を経ずに出力デバイスから出力可能な出力データとに区別してコード化することで生成された二次元コードパターンを印刷されたものである。
【０００９】
この構成を採用すれば、二次元コードパターンの読み取り用の装置を使用して、紙面に印刷された可読情報および／またはその可読情報に関連する付加情報を、その紙面に印刷された二次元コードパターンをデコードすることで、データとして得ることができる。したがって、それらの情報のデータベースを設けることなく簡単に、印刷された文章などのデータを提供することができる。
【００１０】
しかも、紙面に印刷された可読情報および／またはその可読情報に関連する付加情報は、認証処理によりアクセス許可された場合にのみ所定の出力デバイスから出力可能となる出力データと、認証処理を経ずに出力デバイスから出力可能な出力データとに分けてコード化されている。したがって、データの利用を、認証処理によって管理することができる。これにより、特定のデータを、アクセス権を持った者にのみ提供することができ、データを適切に提供することができる。
【００１１】
本発明に係る他の印刷物は、紙面に印刷された可読情報および／またはその可読情報に関連する付加情報であって、認証処理によりアクセス許可された場合にのみ所定の出力デバイスから出力可能となる出力データがコード化された第一の二次元コードパターンと、紙面に印刷された可読情報および／またはその可読情報に関連する付加情報であって、認証処理を経ずに出力デバイスから出力可能な出力データがコード化された第二の二次元コードパターンと、が同じ紙面に印刷されているものである。
【００１２】
この構成を採用すれば、二次元コードパターンの読み取り用の装置を使用して、紙面に印刷された第一の二次元コードパターンあるいは第二の二次元コードパターンをデコードすることで、その紙面に印刷された可読情報および／またはその可読情報に関連する付加情報を、データとして得ることができる。したがって、それらの情報のデータベースを設けることなく簡単に、印刷された文章などのデータを提供することができる。
【００１３】
しかも、紙面に印刷された可読情報および／またはその可読情報に関連する付加情報は、認証処理によりアクセス許可された場合にのみ所定の出力デバイスから出力可能となる出力データがコード化される第一の二次元コードパターンと、認証処理を経ずに出力デバイスから出力可能な出力データがコード化される第二の二次元コードパターンとに分けてコード化されている。したがって、データの利用を、認証処理によって管理することができる。これにより、特定のデータを、アクセス権を持った者にのみ提供することができ、データを適切に提供することができる。
【００１４】
本発明に係るさらに他の印刷物は、紙面に印刷された可読情報および／またはその可読情報に関連する付加情報であって、認証処理によりアクセス許可された場合にのみ所定の出力デバイスから出力可能となる出力データと、紙面に印刷された可読情報および／またはその可読情報に関連する付加情報であって、認証処理を経ずに出力デバイスから出力可能な出力データと、それら２つの出力データの区切りを示す区切りデータと、がコード化される二次元コードパターンが紙面に印刷されているものである。
【００１５】
この構成を採用すれば、二次元コードパターンの読み取り用の装置を使用して、紙面に印刷された二次元コードパターンをデコードすることで、その紙面に印刷された可読情報および／またはその可読情報に関連する付加情報を、データとして得ることができる。したがって、それらの情報のデータベースを設けることなく簡単に、印刷された文章などのデータを提供することができる。
【００１６】
しかも、紙面に印刷された可読情報および／またはその可読情報に関連する付加情報は、区切りデータによって、認証処理によりアクセス許可された場合にのみ所定の出力デバイスから出力可能となる出力データと、認証処理を経ずに出力デバイスから出力可能な出力データとに分けてコード化されている。したがって、データの利用を、認証処理によりアクセス許可された場合にのみ管理することができる。これにより、特定のデータを、アクセス権を持った者にのみ提供することができ、データを適切に提供することができる。
【００１７】
本発明に係る各印刷物は、上述した各発明の構成に加えて、認証処理を経ずに出力デバイスから出力可能な出力データと、区切りデータと、認証処理によりアクセス許可された場合にのみ出力デバイスから出力可能となる出力データとが、その順番にてコード化され、区切りデータが、その後の出力データの出力にはアクセス許可が必要であるものである。
【００１８】
この構成を採用すれば、認証処理を経ずに出力デバイスから出力可能な出力データと、認証処理によりアクセス許可された場合にのみ出力デバイスから出力可能となる出力データとが１つの二次元コードパターンにコード化されていたとしても、これらを区切りデータで区別することができる。これにより、たとえば認証処理を経ずに出力デバイスから出力可能な出力データのみを確実に抽出することができる。
【００１９】
本発明に係る各印刷物は、上述した各発明の構成に加えて、認証処理を経ずに出力デバイスから出力可能な出力データ、および認証処理によりアクセス許可された場合にのみ出力デバイスから出力可能となる出力データは、それらのデータをコード化した二次元コードパターンが印刷されている紙面に印刷されている文章のテキストデータを含むものである。
【００２０】
この構成を採用すれば、紙面に印刷されている文章のテキストデータを、その紙面に印刷されている二次元コードパターンによって提供することができる。
【００２１】
本発明に係る各印刷物は、上述した各発明の構成に加えて、認証処理を経ずに出力デバイスから出力可能な出力データは、そのデータをコード化した二次元コードパターンが印刷されている紙面に印刷されている文章のテキストデータを含むものであり、認証処理によりアクセス許可された場合にのみ出力デバイスから出力可能となる出力データは、文章に関連した付加情報のテキストデータを含むものである。
【００２２】
この構成を採用すれば、紙面に印刷されている文章のテキストデータを、その紙面に印刷されている二次元コードパターンによって、認証処理をすることなく提供することができる。しかも、文章に関連した付加情報のテキストデータを、その紙面に印刷されている二次元コードパターンによって、認証された後に提供することができる。
【００２３】
本発明に係る各印刷物は、上述した各発明の構成に加えて、認証処理によりアクセス許可された場合にのみ出力デバイスから出力可能となる出力データは、認証処理で使用される識別情報を暗号鍵として暗号化された上で二次元コードパターンにコード化されているものである。
【００２４】
この構成を採用すれば、認証処理によりアクセス許可された場合にのみ出力デバイスから出力可能となる出力データは、単にデコードされただけでは暗号化された状態になっている。したがって、暗号により認証処理を実現しており、読み取り機器を不正に改変したとしても、その部分の出力データを不正に得ることを難しくすることができる。
【００２５】
本発明に係る各印刷物は、上述した各発明の構成に加えて、紙面に可読情報として問題文が印刷され、その問題文のテキストデータを、認証処理を経ずに出力デバイスから出力可能な出力データとし、この問題文の答えのテキストデータを、認証処理によりアクセス許可された場合にのみ出力デバイスから出力可能となる出力データとした二次元コードパターンが問題文の印刷個所に関連付けて印刷されているものである。
【００２６】
この構成を採用すれば、問題文の印刷個所に関連付けて印刷されている二次元コードパターンによって、問題文のテキストデータを提供し、さらに認証処理によりアクセス許可された場合には、問題文の答えのテキストデータを提供することができる。
【００２７】
本発明に係る携帯端末は、二次元コードパターンを撮像する撮像デバイスと、撮像デバイスにより撮像された二次元コードパターンから、その二次元コードパターンにコード化されているデータ列を再生するデコード部と、認証処理を行う認証部と、出力データが入力されると、これを出力する出力デバイスと、再生されたデータ列に含まれる出力データが、その出力に認証を必要とする場合には認証部の認証処理によりアクセス許可された後にその出力データを出力デバイスへ出力し、再生されたデータ列に含まれる出力データが、その出力に認証処理が不要である場合にはその出力データを出力デバイスへ出力する表示制御部と、を有するものである。
【００２８】
この構成を採用すれば、二次元コードパターンをデコードすることで、データを得ることができる。したがって、たとえば印刷物の紙面に、その紙面に印刷された可読情報および／またはその可読情報に関連する付加情報が二次元コードパターンとして印刷されて提供されることで、それらの情報のデータベースへアクセスすることなく簡単に、印刷された文章などのデータの提供を受けることができる。
【００２９】
しかも、認証処理によりアクセス許可された場合にのみ所定の出力デバイスから出力可能となる出力データは、認証部の認証処理によるアクセス許可後に出力デバイスへ出力され、認証処理を経ずに出力デバイスから出力可能な出力データは、認証部の認証処理を経ずに出力デバイスへ出力される。したがって、携帯端末におけるデータの利用は、認証処理によって管理される。これにより、特定のデータを、アクセス権を持った者にのみ提供することができ、データを適切に提供することができる。
【００３０】
本発明に係る携帯端末は、上述した発明の構成に加えて、表示制御部が、デコード部により再生されたデータ列に、アクセス許可が必要であることを示す認証要否指示データが含まれている場合には、認証部の認証処理によるアクセス許可後にそのデータ列に含まれる出力データを出力デバイスへ出力し、デコード部により再生されたデータ列に、アクセス許可が不要であることを示す認証要否指示データが含まれている場合には、そのデータ列に含まれる出力データを出力デバイスへ出力するものである。
【００３１】
この構成を採用すれば、二次元コードパターンをデコードすることで、データを得ることができる。したがって、たとえば印刷物の紙面に、その紙面に印刷された可読情報および／またはその可読情報に関連する付加情報を二次元コードパターンとして印刷されて提供されることで、それらの情報のデータベースへアクセスすることなく簡単に、印刷された文章などのデータの提供を受けることができる。
【００３２】
しかも、認証処理によりアクセス許可された場合にのみ所定の出力デバイスから出力可能となる出力データは、認証部の認証処理によるアクセス許可後に出力デバイスへ出力され、認証処理を経ずに出力デバイスから出力可能な出力データは、認証部の認証処理を経ずに出力デバイスへ出力される。したがって、携帯端末におけるデータの利用は、認証処理によって管理される。これにより、特定のデータを、アクセス権を持った者にのみ提供することができ、データを適切に提供することができる。
【００３３】
本発明に係る携帯端末は、上述した各発明の構成に加えて、表示制御部が、デコード部により再生されたデータ列に、認証処理によりアクセス許可された場合にのみ出力デバイスから出力可能となる第一の出力データと認証処理を経ずに出力デバイスから出力可能な第二の出力データとの区切りを示す区切りデータが含まれている場合には、第二の出力データを出力デバイスへ出力し、かつ、認証部の認証処理によるアクセス許可後に第一の出力データを出力デバイスへ出力するものである。
【００３４】
この構成を採用すれば、所定の区切りデータによって、認証処理によりアクセス許可された場合にのみ所定の出力デバイスから出力可能となる出力データと、認証処理を経ずに出力デバイスから出力可能な出力データとを明確に区別し、データの利用を、認証処理によって管理することができる。
【００３５】
本発明に係る携帯端末は、上述した各発明の構成に加えて、認証部が、ユーザにより入力されたあるいは外部から受信された認証データを復号キーとして、デコード部により再生されたデータ列から、認証処理によりアクセス許可された場合にのみ出力デバイスから出力可能となる出力データを復号するものである。
【００３６】
この構成を採用すれば、認証処理によりアクセス許可された場合にのみ出力デバイスから出力可能となる出力データは、単にデコードされただけでは暗号化された状態になっている。したがって、暗号により認証処理を実現しており、携帯端末を不正に改変したとしても、その部分の出力データを不正に得ることを難しくすることができる。
【００３７】
本発明に係る携帯端末は、上述した各発明の構成に加えて、認証部による認証結果を記憶する記憶デバイスと、記憶デバイスに記憶された認証結果に基づいて、デコード部により再生されたデータ列から、認証処理によりアクセス許可された場合にのみ出力デバイスから出力可能となる出力データを復号する復号部と、を有し、表示制御部が、復号部で復号された出力データを出力デバイスへ出力するものである。
【００３８】
この構成を採用すれば、認証部においてアクセス許可が一旦得られれば、復号部は、認証処理によりアクセス許可された場合にのみ出力デバイスから出力可能となる出力データを復号することができる。したがって、この出力データが複数入力されたとしても、その出力データの度に一々認証部において認証処理を行うことなく、連続的に復号をすることができる。
【００３９】
本発明に係る携帯端末は、上述した各発明の構成に加えて、デコード部が、印刷物毎にその印刷物に印刷される二次元コードパターンと対で作成され、その印刷物とは別に供給されることで利用可能となるものである。
【００４０】
この構成を採用すれば、携帯端末のデコード部を印刷物毎に変更することができる。したがって、認証部の認証処理のパスワードによって、個人単位での利用を管理することができるとともに、印刷物毎に作成されるデコード部によって、印刷物単位での利用を管理することができる。特に、デコード部をその印刷物とは別に供給することで、たとえばダウンロードなどで印刷物とは別にデコード部を入手しなければならないので、印刷物とともに供給した場合に比べてデコード部を入手し難くなり、印刷物単位での利用を厳格に管理することができる。その結果、たとえば、月刊誌などにおいてある号のデコード部が解析されてしまったとしても、その他の号の二次元コードパターンがそのデコード部で再生されてしまうことを効果的に防止することができる。
【発明の効果】
【００４１】
本発明では、データベースを設けることなく簡単に、印刷された文章などのデータを適切に提供することができる。
【発明を実施するための最良の形態】
【００４２】
以下、本発明の実施の形態に係る印刷物および携帯端末を、図面に基づいて説明する。
【００４３】
実施の形態１．
図１は、本発明の実施の形態１に係る印刷物の一種である書籍１を示す斜視図である。書籍１は、たとえば徒然草の解説本である。書籍１の各ページは、上段と下段とに分かれており、上段には、徒然草の本文が印刷され、下段にはその注釈や解説が印刷されている。また、下段の左隅には、左右に並べて２つの二次元コードパターン２，３が印刷されている。
【００４４】
二次元コードパターン２，３は、データを二次元コードにコード化したパターンである。二次元コードには、Ｃｏｄｅ４９、ＰＤＦ４１７などのスタック型の二次元コードと、Ｖｅｒｉコード、データ・マトリックス、ＱＲ（Ｑｕｉｃｋ  Ｒｅｓｐｏｎｓｅ）コード、マイクロＱＲコードなどのマトリックス型の二次元コードとがある。そして、たとえばＱＲコードのパターンには、約２８００文字分のテキストデータをエンコードすることが可能である。
【００４５】
右側の二次元コードパターン２には、各ページの上段に印刷された徒然草の本文のテキストデータと、認証処理によるアクセス許可が不要であることを示す値を有するデータ（以下、認証要否指示データと記載する。）とを含むデータ列が、エンコードされて格納されている。
【００４６】
左側の二次元コードパターン３には、各ページの下段に印刷された徒然草の注釈や解説のテキストデータと、認証処理によるアクセス許可が必要であることを示す値を有する認証要否指示データとを含むデータ列が、エンコードされて格納されている。
【００４７】
そして、この認証要否指示データは、データ列内の所定の位置、たとえば先頭位置に必ず位置するようにしたり、所定のデータパターンを付加されたりしてエンコードされる。
【００４８】
以下、この２つの二次元コードパターン２，３を区別する場合には、右側の二次元コードパターンを、第二の二次元コードパターンとしての認証不要二次元コードパターン２と記載し、左側の二次元コードパターンを、第一の二次元コードパターンとしての認証必要二次元コードパターン３と記載する。
【００４９】
図２は、本発明の実施の形態１に係る携帯端末を示すブロック図である。
【００５０】
携帯端末は、撮像デバイスとしてのＣＣＤ（Ｃｈａｒｇｅ  Ｃｏｕｐｌｅｄ  Ｄｅｖｉｃｅ）１０と、パターン判定部１１と、デコード部１２と、認証要否判定部１４と、認証部としての認証処理部１７と、表示制御部１５と、出力デバイスとしての液晶表示デバイス１６と、記憶デバイスとしてのメモリ１３と、入力キー１８と、を有する。
【００５１】
なお、パターン判定部１１と、デコード部１２と、認証要否判定部１４と、認証処理部１７と、表示制御部１５とは、たとえば携帯端末の図示外の中央処理装置が、メモリ１３に記憶されている二次元コード読取プログラムを実行することで、携帯端末に実現される。また、二次元コード読取プログラムは、たとえば、コンピュータ読取可能な記録媒体や、電子通信回線などの伝送媒体を介してメモリ１３に記憶すればよい。
【００５２】
ＣＣＤ１０は、複数の受光素子が二次元のマトリックス状に配列されたものであり、これら複数の受光素子の配列と受光輝度とに基づく輝度分布データを出力する。
【００５３】
メモリ１３は、データを記憶するものである。このメモリ１３は、携帯端末に固定的に内蔵されていても、携帯端末から着脱可能に接続されていてもよい。
【００５４】
入力キー１８は、たとえばテンキーなどのキーを有するものである。そして、ユーザのキー操作に応じた入力データを出力する。
【００５５】
液晶表示デバイス１６は、複数の発光素子が二次元のマトリックス状に配列されたものであり、表示データが入力されると、これら複数の発光素子をその二次元配列に基づいて発光する。
【００５６】
パターン判定部１１は、ＣＣＤ１０からの輝度分布データに、二次元コードパターンが含まれているか否かを判定し、二次元コードパターンが含まれている場合には、その二次元コードパターンを輝度分布データから抽出する。
【００５７】
デコード部１２は、パターン判定部１１により抽出された二次元コードパターンをデコードして、二次元コードパターンにコード化されていたデータ列を再生する。また、デコード部１２は、再生したデータ列をメモリ１３に記憶させる。
【００５８】
認証要否判定部１４は、エンコード時に定めている取り決めにしたがって、デコード部１２より入力されるデータ列から認証要否指示データを抽出し、その認証要否指示データの値に基づいて認証の要否を判定する。
【００５９】
認証処理部１７は、認証要否判定部１４によって認証処理によるアクセス許可が必要であると判定した場合に、入力キー１８から入力される入力データと、二次元コード読取プログラムとともにメモリ１３に記憶されているパスワードとを比較して、パスワードに一致する入力データが入力されると、承認と判定する。
【００６０】
表示制御部１５は、認証要否判定部１４あるいは認証処理部１７からの指示に応じて、メモリ１３からデータ列を読出し、このデータ列に含まれるテキストデータを含む表示データを生成する。また、表示制御部１５は、この表示データを液晶表示デバイス１６へ出力する。
【００６１】
次に、図１の印刷物に印刷されている認証不要二次元コードパターン２と認証必要二次元コードパターン３とを、図２の携帯端末で読み取る場合の動作について説明する。
【００６２】
携帯端末のＣＣＤ１０に認証不要二次元コードパターン２を撮像させると、パターン判定部１１は、ＣＣＤ１０の輝度分布データに基づいてその二次元コードパターン２が含まれていると判定し、その二次元コードパターン２を輝度分布データから抽出する。また、デコード部１２は、この認証不要二次元コードパターン２をデコードして、認証不要二次元コードパターン２にコード化されていたデータ列を再生し、メモリ１３に記憶させる。
【００６３】
また、デコード部１２がデータ列を再生すると、認証要否判定部１４は、そのデータ列から認証要否指示データを抽出し、その認証要否指示データの値に基づいて認証の要否を判定する。認証不要二次元コードパターン２の認証要否指示データは、認証処理が不要であることを示す値を有する。したがって、認証要否判定部１４は、認証処理が不要であると判定して、表示制御部１５にデータ列の表示を指示する。表示制御部１５は、この認証要否判定部１４からの指示に応じてメモリ１３からデータ列を読出し、このデータ列に含まれるテキストデータを含む表示データを生成し、液晶表示デバイス１６は、この表示データを表示する。これにより、液晶表示デバイス１６には、認証不要二次元コードパターン２にエンコードされていた徒然草の本文が表示される。
【００６４】
次に、携帯端末のＣＣＤ１０に二次元コードパターン３を撮像させると、パターン判定部１１は、ＣＣＤ１０の輝度分布データに基づいてその二次元コードパターン３が含まれていると判定し、その二次元コードパターン３を輝度分布データから抽出する。また、デコード部１２は、この認証必要二次元コードパターン３をデコードして、認証必要二次元コードパターン３にコード化されていたデータ列を再生し、メモリ１３に記憶させる。
【００６５】
また、デコード部１２がデータ列を再生すると、認証要否判定部１４は、そのデータ列から認証要否指示データを抽出し、その認証要否指示データの値に基づいて認証処理の要否を判定する。認証必要二次元コードパターン３の認証要否指示データは、認証処理によるアクセス許可が必要であることを示す値を有する。したがって、認証要否判定部１４は、認証処理によるアクセス許可が必要であると判定して、認証処理部１７に、認証処理の実行を指示する。
【００６６】
認証処理部１７は、入力キー１８から入力される入力データと、メモリ１３に記憶されているパスワードとを比較して、パスワードに一致する入力データが入力されると、そのデータへのアクセスを許可されたと判定し、表示制御部１５にデータ列の表示を指示する。なお、パスワードは、予めメモリ１３に記憶しておいても良いし、二次元コードパターン３内にデータとして格納しておいてもよい。表示制御部１５は、この認証処理部１７からの指示に応じて、メモリ１３からデータ列を読出し、このデータ列に含まれるテキストデータを含む表示データを生成し、液晶表示デバイス１６は、この表示データを表示する。これにより、液晶表示デバイス１６には、認証必要二次元コードパターン３にエンコードされていた徒然草の注釈や解説が表示される。
【００６７】
以上のように、この実施の形態１に係る書籍１などの印刷物には、その各ページに、認証必要二次元コードパターン３と認証不要二次元コードパターン２との２つの二次元コードパターンを印刷している。そして、認証不要二次元コードパターン２には、各ページの上段に印刷された徒然草の本文のテキストデータと、認証処理が不要であることを示す値を有する認証要否指示データとを含むデータ列が格納され、認証必要二次元コードパターン３には、各ページの下段に印刷された徒然草の注釈や解説のテキストデータと、認証処理によるアクセス許可が必要であることを示す値を有する認証要否指示データとを含むデータ列が格納されている。
【００６８】
また、この実施の形態１に係る携帯端末は、二次元コードパターンを撮像するＣＣＤ１０と、ＣＣＤ１０により撮像された二次元コードパターンから、その二次元コードパターンにコード化されているデータ列を再生するデコード部１２と、認証処理を行う認証処理部１７と、テキストデータが入力されると、これを表示する液晶表示デバイス１６と、再生されたデータ列に含まれるテキストデータが、その表示のために認証処理によるアクセス許可を必要としている場合には認証処理部１７の認証処理後にテキストデータを液晶表示デバイス１６へ出力し、再生されたデータ列に含まれるテキストデータが、その表示に認証処理が不要である場合には認証処理部１７の認証処理を経ずにそのテキストデータを液晶表示デバイス１６へ出力する表示制御部１５と、を有する。特に、この表示制御部１５は、デコード部１２により再生されたデータ列に、認証処理によるアクセス許可が必要であることを示す認証要否指示データが含まれている場合には、認証処理部１７の認証処理によるアクセス許可後にそのデータ列に含まれるテキストデータを液晶表示デバイス１６へ出力し、デコード部１２により再生されたデータ列に、認証処理が不要であることを示す認証要否指示データが含まれている場合には、認証処理部１７の認証処理を経ずにそのデータ列に含まれるテキストデータを液晶表示デバイス１６へ出力する。
【００６９】
したがって、この実施の形態１によれば、書籍１の各頁に印刷する徒然草の本文あるいはその注釈や解説を記憶するデータベースを設けることなく簡単に、書籍１の各頁に印刷されているこれらの文章のテキストデータを、その紙面に印刷されている二次元コードパターンによって提供することができる。その結果、印刷物の利用者は、印刷物のハードコピーを作成する必要は特になくなる。また、印刷物の利用者は、印刷物の文章を自分で再入力しなくとも、正確で誤りの無いテキストデータを手軽に得ることができる。
【００７０】
しかも、書籍１の各頁に印刷する文章あるいはその文章に関連する解説などは、認証処理によりアクセス許可された場合にのみ液晶表示デバイス１６に表示可能となるテキストデータがコード化される認証必要二次元コードパターン３と、認証処理を経ずに液晶表示デバイス１６に表示可能なテキストデータがコード化される認証不要二次元コードパターン２とに分けてコード化されている。したがって、データの利用を、認証処理によって管理することができる。これにより、特定のデータを、アクセス権を持った者にのみ提供することができ、データを適切に提供することができる。
【００７１】
また、この実施の形態１では、二次元コードパターンにエンコードされているテキストデータを表示するためにアクセス許可が必要である場合には、認証処理部１７は、入力キー１８から入力される入力データと、二次元コード読取プログラムとともに予めメモリ１３に記憶されているパスワードとを比較して認証している。これにより、単に印刷物を読むだけの人と、印刷物に記載されている文章を利用する人とを区別して、２つの二次元コードパターン２，３を利用するユーザの権限を管理することができる。
【００７２】
なお、認証時に入力されるパスワードは、たとえば印刷物とは別のスクラッチカード、シール、領収書などに印刷して書店にて販売すればよい。特に、スクラッチカード、シール、領収書では、それを書籍１の購入時に渡すようにすることで、パスワードなどを入手する煩わしさをユーザに与えなくて済む。また、入力キー１８でのパスワード入力に換えて、書店などに設置された赤外線通信装置から携帯端末の赤外線ポートへパスワードを送信したり、無線通信やインターネット上のサーバから購入者の携帯端末の通信部へパスワードを送信したりすることで、パスワードを入力するようにしてもよい。この場合、認証処理部１７は、この送信されたパスワードと、予めメモリ１３に記憶されているパスワードとを比較して認証することになる。このように印刷物と分離してパスワードを提供することで、複数の印刷物に共通するパスワードを提供したり、パスワードを印刷物ごとに変えたり、所定の期間毎に変えたりすることも可能である。なお、パスワードが変わると、照合するパスワードおよび二次元コード読取プログラムも必要に応じて変更する必要がある。また、このパスワードを別の二次元コードパターンとして印刷物のカバー等の特定の個所に付しておいてもよい。
【００７３】
また、このように赤外線通信装置やサーバから携帯端末へパスワードを送信する場合には、携帯端末は購入時にその携帯端末に固有の番号（たとえば携帯電話端末であるならば電話番号など）を赤外線通信装置やサーバへ登録し、それ以降は、赤外線通信装置やサーバは、携帯端末から送信されてくる固有の番号とこの予め登録されている番号とを比較し、これらが一致する場合には購入処理をすることなく再度パスワードを携帯端末へ送信するように構成することで、パスワードの再発行が可能となる。
【００７４】
また、入力あるいは送信されたパスワードと照合するパスワードは、二次元コード読取プログラムとともに配布されて予めメモリ１３に記憶されていなくてもよい。たとえば、照合するパスワードは、認証必要二次元コードパターン３に、アクセス許可が必要であることを示す値を有する認証要否指示データとともにエンコードされて格納されていてもよい。また、認証要否指示データの値そのものを、照合するパスワードとして利用してもよい。このように、認証必要二次元コードパターン３に、照合するパスワードを格納しておくことで、照合するパスワードが互いに異なる複数の認証必要二次元コードパターン３に対して、１つの二次元コード読取プログラムを共通に利用することができる。なお、認証要否指示データの値そのものを、パスワードが互いに異なる複数の認証必要二次元コードパターン３での照合パスワードとする場合、それらの間で認証処理が不要であることを示す値を共通の１つの値として、認証要否判定部１４は、認証要否指示データの値が認証が不要であることを示す値である場合には認証処理が不要であり、それ以外の場合には常に認証によるアクセス許可が必要であると判断すればよい。
【００７５】
なお、この実施の形態１では、書籍１を例として印刷物を説明しているが、新聞、電車などの中刷り、ポスター、新聞、チケットなどの印刷物にも好適に利用することができる。
【００７６】
実施の形態２．
図３は、本発明の実施の形態２に係る印刷物である書籍４を示す斜視図である。書籍４は、住宅情報誌である。書籍４の各ページには、複数の住宅に関する情報が住宅毎に段分けされて印刷されており、各段には、物件情報として、住宅の間取り、大きさ、種類などが印刷されている。特に、各段には、その住宅あるいは連絡先の住所や電話番号は、全く印刷されていないか、あるいは、たとえばおおよその住宅の所在地が判断できる程度に住宅のたとえば丁目までが印刷されている。
【００７７】
また、各段には、左右に並べて、第一の二次元コードパターンとしての認証必要二次元コードパターン５と、第二の二次元コードパターンとしての認証不要二次元コードパターン６との２つの二次元コードパターンが印刷されている。
【００７８】
認証不要二次元コードパターン６には、印刷されている物件情報のテキストデータと、認証処理が不要であることを示す値を有する認証要否指示データとを含むデータ列が、エンコードされて格納されている。
【００７９】
認証必要二次元コードパターン５には、その住宅あるいは連絡先のすべての住所および電話番号のテキストデータを暗号化したデータと、認証処理によるアクセス許可が必要であることを示す値を有する認証要否指示データとを含むデータ列が、エンコードされて格納されている。
【００８０】
なお、認証要否指示データは、実施の形態１と同様に、各データ列内の予め定められた位置になっているか、あるいは、所定のデータパターンが付加されていればよい。また、認証必要二次元コードパターン５においてテキストデータを暗号化する暗号化アルゴリズムとしては如何なるものであってもよいが、たとえば共通鍵方式や公開鍵方式などの暗号化アルゴリズムであればよい。
【００８１】
図４は、本発明の実施の形態２に係る携帯端末を示すブロック図である。
【００８２】
携帯端末は、ＣＣＤ１０と、パターン判定部１１と、デコード部１２と、認証要否判定部１４と、認証部としての認証復号部２０と、表示制御部１５と、液晶表示デバイス１６と、メモリ１３と、赤外線ポート２１と、を有する。なお、パターン判定部１１と、デコード部１２と、認証要否判定部１４と、認証復号部２０と、表示制御部１５とは、たとえば携帯端末の図示外の中央処理装置が、メモリ１３に記憶されている二次元コード読取プログラムを実行することで、携帯端末において実現される。また、二次元コード読取プログラムは、コンピュータ読取可能な記録媒体や電子通信回線などの伝送媒体を介してメモリ１３に記憶しておけばよい。実施の形態１と同じ機能を有する構成要素は、実施の形態１の同名の構成要素と同一の符号を付して、その説明を省略する。
【００８３】
赤外線ポート２１は、赤外線を受光する受光素子を有するものである。そして、その受光素子が受光した赤外線の強度パターンに応じた受光データを出力する。
【００８４】
認証復号部２０は、認証要否判定部１４が認証処理によるアクセス許可が必要であると判定した場合に実行される。そして、認証復号部２０は、赤外線ポート２１から出力される受光データを復号キーとして、メモリ１３に記憶されているデコード済みのデータ列を、メモリ１３に記憶されている暗号鍵で復号し、この復号されたデータ列をメモリ１３に記憶させる。なお、復号されたデータ列は、メモリ１３に記憶されているデコード済みのデータ列に上書きにより記憶されても、デコード済みのデータ列とは別に記憶させてもよい。
【００８５】
次に、図３の印刷物に印刷されている認証不要二次元コードパターン６と認証必要二次元コードパターン５とを、図４の携帯端末で読み取る場合の動作について説明する。
【００８６】
携帯端末のＣＣＤ１０に二次元コードパターン６を撮像させると、パターン判定部１１は、ＣＣＤ１０の輝度分布データから二次元コードパターン６を抽出し、デコード部１２は、二次元コードパターン６をデコードして再生したデータ列をメモリ１３に記憶させる。また、認証要否判定部１４は、その再生されたデータ列の認証要否指示データの値に基づいて、認証処理が不要であると判定し、表示制御部１５にデータ列の表示を指示する。表示制御部１５は、この認証要否判定部１４からの指示に応じて、メモリ１３からデータ列を読出し、このデータ列に含まれるテキストデータを含む表示データを生成し、液晶表示デバイス１６に表示させる。これにより、液晶表示デバイス１６には、認証不要二次元コードパターン６にエンコードされていた印刷されている物件情報が表示される。
【００８７】
次に、携帯端末のＣＣＤ１０に二次元コードパターン５を撮像させると、パターン判定部１１は、ＣＣＤ１０の輝度分布データから二次元コードパターン５を抽出し、デコード部１２は、この二次元コードパターン５をデコードして再生したデータ列をメモリ１３に記憶させる。また、認証要否判定部１４は、その再生されたデータ列の認証要否指示データの値に基づいて、認証処理によるアクセス許可が必要であると判定し、認証復号部２０に、認証処理のための復号処理の実行を指示する。
【００８８】
認証復号部２０は、赤外線ポート２１から出力される受光データを復号キー（暗号鍵）として、メモリ１３に記憶されているデコード済みのテキストデータを復号し、この復号されたテキストデータをメモリ１３に記憶させる。その後、認証復号部２０は、表示制御部１５にテキストデータの表示を指示する。表示制御部１５は、この認証処理部からの指示に応じて、メモリ１３から復号されたテキストデータを読出し、液晶表示デバイス１６に表示させる。これにより、液晶表示デバイス１６には、認証必要二次元コードパターン５にエンコードされた、住宅あるいはその連絡先のすべての住所および電話番号が表示される。これにより、ユーザは、住宅の詳しい住所や連絡先を知ることができる。
【００８９】
なお、赤外線ポート２１が受光した受光データが正しい復号キーと一致していない場合には、暗号化されているテキストデータを正しいテキストデータに復号することができない。そのため、液晶表示デバイス１６には、意味不明のテキストが表示されることになる。あるいは、本文データに所定の識別子を含ませておき、復号後にその識別子が正しく復号されているか否かに基づいて、正しく復号されたか否かを判定するようにしてもよい。その場合には、正しく復号されなかったときには、データの表示を禁止する。
【００９０】
以上のように、この実施の形態２では、認証処理を経ずに液晶表示デバイス１６に表示可能なテキストデータは、そのデータをコード化した認証必要二次元コードパターン５が印刷されている紙面に印刷されている物件情報のテキストデータを含むものであり、認証処理によりアクセス許可された場合にのみ液晶表示デバイス１６に表示可能となるテキストデータは、その物件情報にかかる住宅あるいは連絡先の住所や電話番号のテキストデータを含むものである。したがって、紙面に印刷されている物件情報のテキストデータを、同じ紙面に印刷されている認証不要二次元コードパターン６によって、認証することなく提供することができ、しかも、物件情報にかかる住宅あるいは連絡先の住所や電話番号のテキストデータを、同じ紙面に印刷されている認証必要二次元コードパターン５によって、認証された後に提供することができる。
【００９１】
特に、この実施の形態２のように、物件について重要な付加情報である住宅あるいは連絡先の住所や電話番号を、認証必要二次元コードパターン５のみで提供し、紙面に印刷しないようにすることで、カメラ付き携帯電話端末やデジタルカメラなどを用いた所謂デジタル万引き（情報誌などの書籍４を購入することなく、情報のみをカメラで撮像して盗むこと）を効果的に抑制することができる。
【００９２】
また、この実施の形態２では、認証処理によりアクセス許可された場合にのみ液晶表示デバイス１６に表示可能となる物件情報にかかる住宅あるいは連絡先の住所や電話番号のテキストデータは、暗号化された上で認証必要二次元コードパターン５にコード化されている。したがって、認証処理によりアクセス許可された場合にのみ液晶表示デバイス１６に表示可能となるテキストデータは、単にデコードされただけでは暗号化された状態になっている。したがって、認証されていない状態で、このテキストデータを利用することはできない。そして、二次元コードパターンにエンコードされているテキストデータを表示するために認証が必要である場合には、認証復号部２０は、赤外線ポート２１から入力される受光データを用いて、暗号化されているテキストデータを復号している。これにより、単に印刷物を読むだけの人と、印刷物に記載されている以上の追加情報を知りたい人とを区別して、二次元コードパターンを利用するユーザを管理することができる。
【００９３】
また、この実施の形態２では、認証復号部２０が、送信された認証データを復号キーとして、デコード部１２により再生されたデータ列から、認証処理によりアクセス許可された場合にのみ液晶表示デバイス１６に表示可能となるテキストデータを復号する。したがって、暗号により認証処理を実現しており、読み取り機器を不正に改変したとしても、その部分の出力データを不正に得ることを難しくすることができる。
【００９４】
なお、この実施の形態２では、住宅情報誌を例として印刷物を説明しているが、その他の書籍、新聞、電車などの中刷り、ポスター、新聞、チケットなどの印刷物にも好適に利用することができる。そして、印刷されている文章に関連する追加情報としては、たとえば、新聞記事に対する用語説明やその他の追加説明、電車などの中吊り公告での見出しに対する内容の説明などの追加説明などが挙げられる。
【００９５】
実施の形態３．
図５は、本発明の実施の形態３に係る印刷物である書籍７を示す斜視図である。書籍７は、たとえば英語を学習するための問題集である。書籍７の各ページには、穴埋め問題が印刷されている。また、ページの右下には、１つの二次元コードパターン８が印刷されている。
【００９６】
二次元コードパターン８には、認証処理が不要であることを示す値を有する認証要否指示データと、問題文のテキストデータと、認証処理によるアクセス許可が必要であることを示す値を有する認証要否指示データと、解答および解説のテキストデータを暗号化したデータとを、その順番に含むデータ列が、エンコードされて格納されている。
【００９７】
なお、データ列の所定の位置にデータ列のヘッダ情報の格納領域を設け、この格納領域に、データ列の長さなどとともに、解答および解説のテキストデータを暗号化したデータのデータ列での始点および／または終点を格納するようにしてもよい。
【００９８】
図６は、本発明の実施の形態３に係る携帯端末を示すブロック図である。
【００９９】
携帯端末は、ＣＣＤ１０と、パターン判定部１１と、デコード部１２と、データ列分割格納部３１と、認証部としての認証処理部３３と、復号部３２と、表示制御部３４と、液晶表示デバイス１６と、メモリ１３と、入力キー１８と、を有する。なお、パターン判定部１１と、デコード部１２と、データ列分割格納部３１と、認証処理部３３と、復号部３２と、表示制御部３４とは、たとえば携帯電話端末の図示外の中央処理装置が、メモリ１３に記憶されている二次元コード読取プログラムを実行することで、携帯端末に実現される。また、二次元コード読取プログラムは、コンピュータ読取可能な記録媒体や電子通信回線などの伝送媒体を介してメモリ１３に記憶しておけばよい。実施の形態１の構成要素と同じ機能を有する構成要素は、実施の形態１の同名の構成要素と同一の符号を付して、その説明を省略する。
【０１００】
データ列分割格納部３１は、デコード部１２により再生されたデータ列を、認証不要データ列と、認証必要データ列とに分割してメモリ１３に記憶させる。
【０１０１】
認証処理部３３は、入力キー１８から入力される入力データと、二次元コード読取プログラムとともに予めメモリ１３に記憶されているパスワードとを比較して、パスワードに一致する入力データが入力されると、アクセス許可と判定し、その判定結果をメモリ１３に記憶させる。なお、パスワードは、入力キー１８から入力するのではなく、通信によりダウンロードしてもよい。
【０１０２】
復号部３２は、メモリ１３に、アクセス許可との判定結果と、認証必要データ列とが記憶されている場合に、認証必要データ列に含まれる暗号化されたテキストデータを復号する。この復号に使用するキーは、予めメモリ１３に記憶されていても、あるいは、サーバなどから図示外の通信部へ送信させて入手してもよい。また、復号部３２は、復号したテキストデータおよび復号完了フラグをメモリ１３に記憶させる。
【０１０３】
表示制御部３４は、入力キー１８から出力される入力データに応じて、メモリ１３に記憶されているテキストデータを含む表示データを生成する。
【０１０４】
次に、図５の印刷物に印刷されている二次元コードパターン８を、図６の携帯端末で読み取り、その液晶表示デバイス１６に表示する動作について説明する。
【０１０５】
携帯端末のＣＣＤ１０に認証不要二次元コードパターン８を撮像させると、パターン判定部１１は、ＣＣＤ１０の輝度分布データにから二次元コードパターン８を抽出し、デコード部１２は、この二次元コードパターン８をデコードして再生したデータ列をメモリ１３に記憶させる。
【０１０６】
データ列分割格納部３１は、デコード部１２により再生されたデータ列が入力される。そして、データ列分割格納部３１は、再生されたデータ列を認証不要データ列と、認証必要データ列とに分割してメモリ１３に記憶させる。具体的には、たとえば、データ列分割格納部３１は、認証処理が不要であることを示す値を有する認証要否指示データから、認証処理によるアクセス許可が必要であることを示す値を有する認証要否指示データの直前までのデータを、認証不要データ列とし、それ以降のデータを認証必要データ列として分割する。これにより、認証不要データ列には、認証処理が不要であることを示す値を有する認証要否指示データと、問題文のテキストデータとが含まれることになる。また、認証必要データ列には、認証が必要であることを示す値を有する認証要否指示データと、解答および解説のテキストデータを暗号化したデータとが含まれることになる。
【０１０７】
また、認証処理部３３は、入力キー１８から入力される入力データと、二次元コード読取プログラムとともに予めメモリ１３に記憶されているパスワードとを比較し、復号部３２は、アクセス許可の判定結果がメモリ１３に記憶されている場合には、認証必要データ列に含まれる暗号化されたテキストデータを復号し、復号したテキストデータおよび復号完了フラグをメモリ１３に記憶させる。
【０１０８】
表示制御部３４は、入力キー１８から問題文の表示を指示する入力データが入力されると、メモリ１３に記憶されている認証不要データ列から問題文のテキストデータを抽出して表示データを生成する。液晶表示デバイス１６には、この表示データを表示する。これにより、液晶表示デバイス１６には、認証処理が不要な問題文が表示される。
【０１０９】
入力キー１８から解答および解説の表示を指示する入力データが入力されると、表示制御部３４は、メモリ１３に復号完了フラグが記憶されていることを確認し、復号完了フラグが記憶されている場合には、認証必要データ列から解答および解説のテキストデータを抽出して表示データを生成する。液晶表示デバイス１６には、この表示データを表示する。これにより、液晶表示デバイス１６には、認証処理によるアクセス許可が必要な解答および解説が表示される。
【０１１０】
なお、入力キー１８から解答および解説の表示を指示する入力データが入力された場合に、メモリ１３に復号完了フラグが記憶されていない場合には、表示制御部３４は、認証処理を行う表示データを生成し、これを液晶表示デバイス１６に表示させる。これにより、ユーザに必要な認証処理が行われる。その後、解答および解説の表示が可能となる。
【０１１１】
以上のように、この実施の形態３に係る問題集などの印刷物では、認証処理が不要であることを示す値を有する認証要否指示データと、問題文のテキストデータと、認証処理によるアクセス許可が必要であることを示す値を有する認証要否指示データと、解答および解説のテキストデータを暗号化したデータとを、その順番に含むデータ列が、印刷された１つの二次元コードパターン８にエンコードされて格納されている。
【０１１２】
また、この実施の形態３に係る携帯端末では、表示制御部３４は、デコード部１２により再生されたデータ列において、認証処理によるアクセス許可が必要であることを示す値を有する認証要否指示データが出現するまでの先頭部分における問題文のテキストデータを、認証処理部３３の認証処理を経ずに液晶表示デバイス１６に表示させ、先のデータ列において認証処理によるアクセス許可が必要であることを示す値を有する認証要否指示データより後に位置する解答及び開設のテキストデータを、認証処理部３３の認証処理後に液晶表示デバイス１６に表示させる。
【０１１３】
したがって、書籍７に印刷された問題文のテキストデータと、その解答および解説のテキストデータとを記憶するデータベースを構築しなくとも、これらのテキストデータを、書籍７のユーザへ提供することができる。特に、問題文とその解答などとが１つの二次元コードデータから一度に読み込まれるので、問題と解答とを々確認する場合であっても、二次元コードデータを読み込むことなく、便利に利用することができる。しかも、１つの二次元コードパターン８に、認証処理を経ずに液晶表示デバイス１６に表示可能なテキストデータと、認証処理によりアクセス許可された場合にのみ液晶表示デバイス１６に表示可能となるテキストデータとがコード化されていても、これらを、認証処理が必要であることを示す値を有する認証要否指示データで区別して、それぞれの利用を管理することができる。
【０１１４】
また、この実施の形態３の携帯端末は、認証処理部３３により認証されたことがメモリ１３に記憶されると、復号部３２は、これを確認してデコード部１２により再生されたデータ列から、認証処理によりアクセス許可された場合にのみ液晶表示デバイス１６に表示可能となるテキストデータを復号する。したがって、認証処理部３３においてアクセス許可が一旦得られれば、復号部３２は、認証処理によりアクセス許可された場合にのみ液晶表示デバイス１６に表示可能となるテキストデータが複数入力されたとしても、そのテキストデータの度に認証処理部３３において認証処理を行うことなく、連続的に復号をすることができる。
【０１１５】
なお、この実施の形態３では、書籍の形態の問題集を例として印刷物を説明しているが、その他の書籍、新聞、電車などの中刷り、ポスター、新聞、チケットなどの印刷物にも好適に利用することができる。
【０１１６】
以上の各実施の形態は、本発明の好適な実施の形態の例であるが、本発明はこれに限定されるものではなく、種々の変形、変更が可能である。
【０１１７】
上記各実施の形態では、印刷物における文章のテキストデータを二次元コードパターンにコード化し、このテキストデータを液晶表示デバイス１６に表示させている。この他にも、音声出力デバイスにテキストデータを読み上げさせてもよい。また、二次元コードパターンに、印刷物の紙面を撮像した画像データや、紙面に印刷される挿絵やグラフなどの画像データ、音声データ、その他のマルチメディアデータをコード化し、それらのデータに対応した出力デバイスに出力するようにしてもよい。
【０１１８】
また、上記各実施の形態では、テキストデータは、そのまま液晶表示デバイス１６に表示されるだけである。この他にもたとえば、携帯端末にテキストデータなどの出力データの編集機能を設けるようにしてもよい。特に、テキストデータにたとえば括弧などの所定の記号を挿入することで、括弧内のテキストデータの表示／非表示が制御できるようにしてもよい。これにより、自分でテキストデータに含まれる文章の穴埋め問題などを簡単に自作することができる。
【０１１９】
また、上記各実施の形態では、テキストデータなどのデータをコード化した二次元コードパターン２，３，５，６，８は、印刷物に印刷されて提供されている。この他にもたとえば、テレビ受信機などに、テキストデータなどのデータをコード化した二次元コードパターンを表示させ、これを上記各実施の形態の携帯端末で撮像するようにしてもよい。これにより、たとえば料理番組の料理のレシピ、旅行番組などでの店舗案内、その他の情報を誤りなく提供することができる。
【０１２０】
なお、上記各実施の形態の携帯端末で利用されるデコード部は、たとえば、印刷物毎にその印刷物に印刷される二次元コードパターンと対で作成されればよい。これにより、携帯端末のデコード部を印刷物毎に変更することができ、認証部の認証処理のパスワードによって、個人単位での利用を管理することができるとともに、印刷物毎に作成されるデコード部によって、印刷物単位での利用を管理することができる。特に、デコード部をその印刷物とは別に供給することで、たとえばダウンロードなどで印刷物とは別にデコード部を入手しなければならなくなるので、印刷物とともに供給した場合に比べてデコード部が入手し難くなり、印刷物単位での利用を厳格に管理することができる。その結果、たとえば、月刊誌などにおいてある号のデコード部が解析されてしまったとしても、その他の号の二次元コードパターンがそのデコード部で再生されてしまうことを効果的に防止することができる。
【０１２１】
また、認証処理によりアクセス許可された場合にのみ所定の出力デバイスから出力可能となる出力データとしては、上述した例のほかにも、たとえば、付加情報が掲載されているＵＲＬ（Ｕｎｉｆｏｒｍ  Ｒｅｓｏｕｒｃｅ  Ｌｏｃａｔｏｒ）、付加情報の入手のための連絡先としての電話番号や電子メールアドレスなどであってもよい。
【０１２２】
更に、認証処理を経ずに出力デバイスから出力可能となる出力データとして、たとえば情報を有料で提供するＵＲＬを含めるとともに、認証処理によりアクセス許可された場合にのみ所定の出力デバイスから出力可能となる出力データとして、そのＵＲＬでの認証番号や認証コードを含めるようにしてもよい。このような組み合わせでデータをコード化することで、たとえばスクラッチカードなどのようにゴミを出さずに、各種の認証処理などが可能となる。
【図面の簡単な説明】
【０１２３】
【図１】図１は、本発明の実施の形態１に係る印刷物の一種である書籍を示す斜視図である。
【図２】図２は、本発明の実施の形態１に係る携帯端末を示すブロック図である。
【図３】図３は、本発明の実施の形態２に係る印刷物の一種である書籍を示す斜視図である。
【図４】図４は、本発明の実施の形態２に係る携帯端末を示すブロック図である。
【図５】図５は、本発明の実施の形態３に係る印刷物の一種である書籍を示す斜視図である。
【図６】図６は、本発明の実施の形態３に係る携帯端末を示すブロック図である。
【符号の説明】
【０１２４】
１，４，７  書籍（印刷物）
２，６  認証不要二次元コードパターン（第二の二次元コードパターン、二次元コードパターン）
３，５  認証必要二次元コードパターン（第一の二次元コードパターン、二次元コードパターン）
８  二次元コードパターン
１０  ＣＣＤ（撮像デバイス）
１２  デコード部
１３  メモリ（記憶デバイス）
１５，３４  表示制御部
１６  液晶表示デバイス（出力デバイス）
１７，３３  認証処理部（認証部）
２０  認証復号部（認証部）
３２  復号部
【図１】
2005092301.tif 000003
【図２】
2005092301.tif 000004
【図３】
2005092301.tif 000005
【図４】
2005092301.tif 000006
【図５】
2005092301.tif 000007
【図６】
2005092301.tif 000008